(57)【特許請求の範囲】
【請求項１】
清掃ヘッドに片方向には自由に回転可能で、逆方向には制動力が働く清掃ロールを有する清掃具であって、
前記清掃ロールの外周の表面に、多数の起毛を突出させて備えた起毛パイルが設けられ、該起毛パイルの起毛まわりに不織布の短繊維が絡んでいる清掃具。
【請求項２】
前記清掃ロールが起毛の先端を該清掃ロールの回転方向に向けてなる請求項１に記載の清掃具。
【請求項３】
前記清掃ヘッドが清掃ロールの被清掃面に対する回転の向きの下流側にゴミ誘い面部とゴミ収容部を配置してなり、清掃ヘッドの移動に伴って回転する清掃ロールが、被清掃面との間にゴミを押えながら、該ゴミをゴミ誘い面部からゴミ収容部に取り込む請求項１又は２に記載の清掃具。
【請求項４】
前記清掃ロールがスポンジロールの外周に前記起毛パイルを設けてなる請求項１〜３のいずれかに記載の清掃具。
【請求項５】
前記清掃ヘッドが２個の清掃ロールを互いに平行に配置するとともに、互いに下面を内向きに回転可能にし、両清掃ロールに挟まれる位置に前記ゴミ収容部を配置してなる請求項３又は４に記載の清掃具。
【請求項６】
請求項１〜５のいずれかに記載の清掃具に用いられる筒状の起毛パイルであって、
清掃ロールに着脱して用いられ、起毛パイルの起毛まわりに不織布の短繊維が絡んでいる筒状の起毛パイル。
【請求項７】
請求項６に記載の筒状の起毛パイルの製造方法であって、
メッシュ生地の起毛パイルの起毛まわりに不織布用の短繊維を絡ませてその起毛まわりに不織布を形成し、この不織布が合成された起毛パイルを筒状に成形する、筒状の起毛パイル製造方法。
【発明の詳細な説明】
【技術分野】
【０００１】
本発明は清掃具に関する。
【背景技術】
【０００２】
従来、カーペットを構成する繊維中に存在する毛髪、綿ホコリ等の繊維ゴミを捕集する清掃具として、特許文献１、２に記載のものがある。
【０００３】
特許文献１に記載の清掃具は、カーペット上で滑らせたり、回転させるシート或いはローラーの表面に、細かいが剛性を有する軸部と、この軸部よりも太くなった塊状の先端部或いは湾曲乃至屈折した先端部とを備えた突起物を、小間隔をおいて密生、突出させるとともに、粘着剤の層を突起物間に埋設した清掃部材を有してなるものである。突起物がカーペットの繊維中に食い込み、繊維中に存在する繊維ゴミを突起物の先端部に捕捉してカーペットから抜き取り、カーペットから抜き取ったゴミ類を、突起物間に埋設されている粘着材層によって確実に捕集、保持するものである。
【０００４】
特許文献２に記載の清掃具は、柔軟性と弾性をもった毛部から構成されるブラシ様の形状の部材及び、不織布から構成され、該不織布を前記ブラシ様の形状をもつ部材に埋設して構成される。ブラシ様の形状の部材をカーペット上で前後に動かすことにより、カーペットの繊維中に存在する繊維ゴミをブラシ様の形状の部材に捕捉するとともに、カーペットの繊維の汚れを不織布により吸着するものである。
【０００５】
従来の他の清掃具として、カーペット上を転がる粘着ロールの表面の粘着シートにより、カーペット上のゴミ類や土ホコリを吸着するものもある。
【先行技術文献】
【特許文献】
【０００６】
【特許文献１】実開昭61-201657
【特許文献２】特許3498927
【発明の概要】
【発明が解決しようとする課題】
【０００７】
特許文献１に記載の清掃部材を有してなる清掃具では、カーペットの繊維中に食い込んだ突起物の先端部がカーペットの繊維から抜き取った繊維ゴミだけを粘着材層に捕集するものであるに過ぎない。カーペットの繊維中において突起物が食い込んだ部分にたまたまある繊維ゴミであって、尚且つ突起物がカーペットから抜き取りできた繊維ゴミだけを捕捉できるに過ぎない。しかも突起物が捕捉した繊維ゴミを粘着剤層により保持する必要があり、粘着力がなくなると捕集できなくなる。従って、繊維ゴミの捕集性能が悪い。
【０００８】
そして、特許文献１に記載の清掃具では、ローラーの表面に突起物を設けた場合、ローラーはカーペット上を転がるだけで、突起物をカーペットに対して相対移動させて櫛けずるような動作をしない。このとき、突起物はカーペットの毛に刺さって、刺さった部分から抜けるという動作になるが、繊維ゴミはカーペットの表面に横たわってその長さに渡ってカーペットの毛と絡み、更にそのカーペットの毛に静電気で張り付いているので、突起物の湾曲等した先端部程度では繊維ゴミを引っ掛けて取り上げることができない。従って、カーペット上の繊維ゴミの捕集性能は低い。
【０００９】
また、特許文献１に記載の清掃具では、突起物間に粘着剤の層を埋設して、繊維ゴミの捕集性能を上げようとしている。ところが、粘着剤層は、表面に土ホコリやカーペットの細かい繊維が付着して、その粘着力を意外に早く失い易く、捕集性能の向上に困難がある。
【００１０】
また、特許文献１に記載の清掃具では、突起物の先端部が繊維ゴミを引っ掛け易くするように屈折等の引っ掛け部を備えているが、これは両刃の剣で、繊維ゴミを引っ掛け易くする反面、突起物の先端部をカーペットから引抜くときの抵抗が大きくなり、操作力が重くなる。シートの表面に設けた突起物をカーペットに滑らせて清掃する場合には、突起物の湾曲等した先端部がカーペットの毛の中に入って引っ掛かりながら引きずられるので、操作力が非常に重くなる。また、カーペットの毛先をループ状に丸めたループカーペットを清掃する場合には、突起物の湾曲等した先端部がカーペットのループ状の毛先に引っ掛かるので、カーペットの毛を傷める。
【００１１】
また、特許文献１に記載の清掃具では、捕集したゴミの除去について、前述の粘着剤層を水溶性で構成すれば、捕集したゴミを水洗により容易に除去できるとしている。ところが、カーペットの主なゴミである繊維ゴミは、突起物に絡まり、しかもローラー本体に強固に巻き付いていて、これを除去するのは容易でない。
【００１２】
特許文献２に記載のブラシ様の形状の部材を有してなる清掃具では、カーペットの繊維中に存在する繊維ゴミをカーペット上で単に前後に動かされるブラシ様の形状の部材により捕捉するに過ぎず、繊維ゴミの捕集性能が悪い。
【００１３】
また、特許文献２に記載の清掃具では、清掃具の柄の先端に設けた本体の清掃面全体にブラシ部があり広い面で抵抗を受けるので、操作力が非常に重くなる。また、清掃具における柄の付け根位置を基準にしたとき、清掃進行方向の前側に位置するブラシ部に大きな抵抗を受ける。このため、柄と本体を自在ジョイントで連結した場合、本体がつんのめるような姿勢になり、操作できない。従って、デッキブラシのように柄と本体を一定角度に固定しなければならず、取り回ししにくいという欠点もある。
【００１４】
カーペット上を転がる粘着ロールを有してなる清掃具では、粘着ロールの表面の粘着シートがカーペットの表面のゴミしか吸着できず、カーペットの繊維中に存在する繊維ゴミまで捕捉できない。粘着ロールの粘着力によりカーペットの繊維を剥ぎ取るおそれもある。また、粘着ロールに土ホコリ等が付着したり、繊維ゴミが吸着されて粘着力がなくなると、捕集寿命がなくなり、通常一部屋を掃除するのに粘着ロールの表面の粘着シートを数枚更新する必要があり、不経済で手間がかかる。
【００１５】
本発明の課題は、簡易な清掃具により、繊維ゴミを効率的に捕集するとともに、土ホコリ等を拭き取ることにある。
【課題を解決するための手段】
【００１６】
請求項１に係る発明は、清掃ヘッドに片方向には自由に回転可能で、逆方向には制動力が働く清掃ロールを有する清掃具であって、前記清掃ロールの外周の表面に、多数の起毛を突出させて備えた起毛パイルが設けられ、該起毛パイルの起毛まわりに不織布の短繊維が絡んでいるようにしたものである。
【発明の効果】
【００１７】
本発明によれば、簡易な清掃具により、繊維ゴミを効率的に捕集するとともに、土ホコリ等を拭き取ることができる。
【図面の簡単な説明】
【００１８】
【図１】図１は清掃具を示す斜視図である。
【図２】図２は清掃具の前進状態を示し、清掃具のジョイント部を含む断面図である。
【図３】図３は清掃具の後進状態を示し、清掃具のジョイント部を含む断面図である。
【図４】図４は図１のIV−IV線に沿って切断した断面図である。
【図５】図５は清掃具のスライド式底板を開いて示す斜視図である。
【図６】図６は片方向回転具を一部破断して示す斜視図である。
【図７】図７は片方向回転具を分解して示す斜視図である。
【図８】図８は片方向回転具の作動原理を示す模式図である。
【図９】図９は清掃ロールを示し、（Ａ）は断面図、（Ｂ）は（Ａ）のＢ部拡大図である。
【図１０】図１０は起毛パイルを示す斜視図である。
【図１１】図１１は起毛パイルに不織布を絡ませた原反シートの製造工程を示す模式図である。
【図１２】図１２は原反シートのスリット工程を示す模式図である。
【図１３】図１３は筒状の起毛パイルの製造工程を示す模式図である。
【発明を実施するための形態】
【００１９】
図１〜図４に示した清掃具１０は、カーペット、フローリングの床等を被清掃面とし、被清掃面上の繊維ゴミ（毛髪、綿ホコリ等）、粒ゴミ（米、菓子くず、土ホコリ、砂等）、を捕集するとともに、土ホコリ等の汚れを拭き取る。清掃具１０は、柄２０の先端に設けた清掃ヘッド３０にゴミ収容部４０を有し、ゴミ収容部４０の前後に設けた前後の側面開口部４１（４１Ｆ、４１Ｒ）を有するとともに、それらの側面開口部４１を塞ぐ前後の清掃ロール５０（５０Ｆ、５０Ｒ）を有する。
【００２０】
尚、本実施形態の清掃具１０では、柄２０に加える操作力により清掃ロール５０が被清掃面上で転動され、柄２０に加える押し操作力により清掃ヘッド３０が進む方向を前方向（図２のＦ方向）とし、柄２０に加える引き操作力により清掃ヘッド３０が進む方向を後方向（図３のＲ方向）とする。
【００２１】
柄２０は、図１〜図３に示す如く、複数本の棒状体２１を順に接続した１ｍ長程度の長尺体であり、基端にグリップを備える。柄２０の先端二又部２２のスリットにジョイント２３の連結プレート２４が差し込まれて、該二又部２２に固定されるブッシュ２６に連結プレート２４をネジ２５でピン結合している。また、ジョイント２３は、清掃ヘッド３０の上フレーム３１Ｕの前後方向（清掃ロール５０が移動により進む方向）及び左右方向（清掃ロール５０の軸方向）の中央部に設けられている、左右の支持部３２、３２の間に差し込まれ、それらの支持部３２に固定されるピン２７にピン結合されている。ピン２７は清掃ヘッド３０の左右方向に延在され、ブッシュ２６はピン２７に直交配置されている。これにより、使用者は、柄２０をブッシュ２６まわりの左右に揺動でき、かつ柄２０をピン２７まわりの前後に揺動できる。
【００２２】
柄２０は、図２、図３に示す如く、先端の棒状体２１の中心孔２１Ａにコイルばね２８を自由状態より縮めた状態で装填し、このコイルばね２８の伸長しようとする反発力によりやはり中心孔２１Ａに装填された摺動子２８Ａをジョイント２３の連結プレート２４に備えた円弧面２４Ａ（ブッシュ２６を中心とする円弧の面）に押当てて、柄２０がブッシュ２６まわりで自由に揺動するのを制動している。また、清掃ヘッド３０の上フレーム３１Ｕの後述するボス３４に設けられて上面に開口する中央孔３４Ａにコイルばね２９を自由状態より縮めた状態で装填し、このコイルばね２９により押されるやはり中央孔３４Ａに装填された摺動子２９Ａをジョイント２３に備えた円弧面２３Ａ（ピン２７を中心とする円弧の面）に押当てて、柄２０がピン２７まわりで自由に揺動するのを制動している。これにより、使用者は柄２０を掴んで清掃具１０の全体を被清掃面から持ち上げ、柄２０と清掃ヘッド３０の相対角度姿勢を変えることなく、清掃具１０の全体を当初の姿勢のまま移載できる。
【００２３】
清掃ヘッド３０は、図２、図３に示す如く、上フレーム３１Ｕと下フレーム３１Ｌの結合体からなる。
【００２４】
上フレーム３１Ｕは清掃ヘッド３０の前後左右の全域に延在され、前後方向の両端部に設けられる円弧状のカバー部が前後の清掃ロール５０の概ね上半周を覆う。上フレーム３１Ｕは、その下面の前後方向の中央部に垂設される中央リブ３３を、上フレーム３１Ｕの左右の側壁に交差する左右方向の全域に延在して備える。上フレーム３１Ｕの下面における中央リブ３３の左右方向の中央部には、前述のコイルばね２９が装填される中央孔をその内部に備えるボス３４が下向き突設される。
【００２５】
下フレーム３１Ｌは、上フレーム３１Ｕの左右の側壁間に嵌合される枠状をなし、図５に示す如く、その四角状の外周枠３５の下面を被清掃面に摺接し得る水平面とし、外周枠３５の下面にスライド式底板４３の板厚分の段差深さをなす段差面３６を備え、この段差面３６を挟む前後の側壁に底板４３の前後の両エッジ４３Ａを左右方向から嵌着し得る溝部３６Ａを有する。下フレーム３１Ｌの溝部３６Ａに嵌着された底板４３の下面は、外周枠３５の下面と面一をなし、被清掃面に摺接し得るものになる。
【００２６】
下フレーム３１Ｌは、外周枠３５が備える段差面３６の面内に中央リブ３７を備える。中央リブ３７は外周枠３５内の前後方向の中央部に立設され、外周枠３５の前後の溝部３６Ａに沿う左右方向の全域に延在して備える。中央リブ３７の下面は段差面３６と面一をなす。尚、外周枠３５の中央リブ３７の下面にも底板４３の中央凸状ガイド４３Ｂが嵌着し得るガイド溝部３６Ｂが設けられている。
【００２７】
下フレーム３１Ｌは、外周枠３５の段差面３６を挟む前後の側壁と中央リブ３７との間に、複数本の互いに平行をなす桟３８を備える。桟３８の下面は、段差面３６、及び中央リブ３７の下面と面一をなす。桟３８の上面は、中央リブ３７の上部から外周枠３５の上部に向けて延びる下り勾配の湾曲傾斜面３８Ａをなす。尚、桟３８の横断面は、上面が狭い略三角断面をなし、清掃ロール５０が後述する如くに投入するゴミを下に落とし易くする。
【００２８】
下フレーム３１Ｌは、中央リブ３７の上端凹部３７Ａを上フレーム３１Ｕの中央リブ３３の下端凸部３３Ａに嵌合する状態で、中央リブ３７の下面の複数ヵ所から挿入されるネジ３９を上フレーム３１Ｕの下面取付部に螺着することにより、上フレーム３１Ｕに結合される。
【００２９】
これにより、清掃ヘッド３０は、上フレーム３１Ｕと下フレーム３１Ｌが結合され、下フレーム３１Ｌの下面の段差面３６に設けた溝部３６Ａ、３６Ｂに底板４３が嵌着された状態で、上フレーム３１Ｕと下フレーム３１Ｌの間にゴミ収容部４０を形成する。ゴミ収容部４０は、清掃ヘッド３０の前後方向の中央部で、上フレーム３１Ｕの中央リブ３３と下フレーム３１Ｌの中央リブ３７により前後に仕切られる。清掃ヘッド３０は、前後のゴミ収容部４０Ｆ、４０Ｒを有するものになり、前側のゴミ収容部４０Ｆは前方に開口する側面開口部４１Ｆを備え、後側のゴミ収容部４０Ｒは後方に開口する側面開口部４１Ｒを備える。
【００３０】
清掃具１０は、清掃ヘッド３０のゴミ収容部４０（４０Ｆ、４０Ｒ）が備える側面開口部４１（４１Ｆ、４１Ｒ）の下端沿いに、被清掃面から側面開口部４１へとゴミを導くゴミ誘い面部４２を設けている。清掃具３０の下フレーム３１Ｌの前側と後側の外周枠３５の外側面が、清掃ロール５０の全長に渡って、清掃ロール５０の外周に摺接し、又は清掃ロール５０の外周に微小隙間を介する円弧面状の前後のゴミ誘い面部４２Ｆ、４２Ｒとなる。外周枠３５の下面に対し鋭角をなして交差するゴミ誘い面部４２（４２Ｆ、４２Ｒ）の下端エッジ４２Ａは、清掃具１０の移動時に、被清掃面に密着して摺接し、被清掃面上のゴミをゴミ誘い面部４２の上にすくい上げる。ゴミ誘い面部４２の上端エッジ４２Ｂも鋭角をなし、この上端エッジ４２Ｂに向かって回転してくる清掃ロール５０（例えば清掃具１０の前方（図２のＦ方向）移動時の場合には、清掃具１０の後方（図３のＲ方向）に位置する図３の清掃ロール５０Ｒ）まわりで、ゴミ収容部４０（４０Ｒ）中のゴミがこの上端エッジ４２Ｂから押さえロール５０（５０Ｒ）に入り込みにくくしている。
【００３１】
清掃具１０は、図１、図４に示す如く、清掃ヘッド３０（上フレーム３１Ｕ）の左右の側壁の前側と後側のそれぞれに、前後の清掃ロール５０（５０Ｆ、５０Ｒ）の両端部を支持する。これにより、清掃具１０は前後２個の清掃ロール５０（５０Ｆ、５０Ｒ）を互いに平行配置するとともに、互いに下面を内向きに回転可能となるように清掃ヘッド３０に配置し、両清掃ロール５０に挟まれる位置に前記ゴミ収容部４０（４０Ｆ、４０Ｒ）を配置するものになる。
【００３２】
このとき、清掃ロール５０は、清掃ヘッド３０に片方向には自由に回転可能で、逆方向には制動力が作用して回転ロックされる（又はゆっくり回る）状態で支持される。即ち、清掃ロール５０は、清掃ヘッド３０の上フレーム３１Ｕの左右一方の側壁に螺着固定された支軸６１に、後述する中芯５１の一端側に圧入等して固定したカラー６２を介して回転自由に枢支されるとともに、上フレーム３１Ｕの左右他方の側壁に螺着固定された支軸６３に、中芯５１の他端側に装填される片方向回転具７０を介して片方向には自由に回転可能で、逆方向には制動力が作用して回転ロックされる（又はゆっくり回る）状態で支持される。
【００３３】
ここで、清掃ロール５０が片方向には自由に回転可能で、逆方向には回転ロックされる構造は、後述する片方向回転具７０の構造による。
【００３４】
そして、清掃ロール５０が片方向には自由に回転可能で、逆方向にはゆっくり回る構造は、例えば清掃ロール５０の左右の支軸６１、６３を清掃ヘッド３０の上フレーム３１Ｕの左右の側壁に対し、前後方向のガタ（或いは長穴）を介して支持する。清掃ヘッド３０が前方向（図２のＦ方向）に進むときには、上フレーム３１Ｕに対し上記ガタ分だけ後方向に移動する前後の清掃ロール５０Ｆ、５０Ｒのうち、後側の清掃ロール５０Ｒが上フレーム３１Ｕの後部に設けたギザギザ粗面（又はゴム材料等の摩擦抵抗を生ずるブレーキ部材）にぶつかって制動され、被清掃面に清掃ロール５０の表面を擦りながらゆっくり回る。逆に、清掃ヘッド３０が後方向（図３のＲ方向）に進むときには、上フレーム３１Ｕに対し上記ガタ分だけ前方に移動する前後の清掃ロール５０Ｆ、５０Ｒのうち、前側の清掃ロール５０Ｆが上フレーム３１Ｕの前部に設けたギザギザ粗面（又はブレーキ部材）にぶつかって制動され、ゆっくり回る。
【００３５】
片方向回転具７０は、図６、図７に示す如く、固定シャフト７１と回転カバー７２とコイルばね７３と駒７４とを有する。固定シャフト７１は、軸部７１Ａの一端にフランジ部７１Ｂを備えるとともに、上述の上フレーム３１Ｕの左右他方の側壁の内側に突出する支軸６３に挿通される孔７１Ｃを軸部７１Ａに備え、上フレーム３１Ｕの側壁に設けた凹所に係入されて固定シャフト７１を上フレーム３１Ｕに対して回り止めする回り止め凸部７１Ｄをフランジ部７１Ｂの外側の端面に備える。回転カバー７２は、固定シャフト７１の軸部７１Ａに被着される中空軸部７２Ａの一端にフランジ部７２Ｂを備え、固定シャフト７１の軸部７１Ａに中空軸部７２Ａを被着し、固定シャフト７１のフランジ部７１Ｂにフランジ部７２Ｂを突き合わせた固定シャフト７１との組立状態で、中空軸部７２Ａの他端内底の開口７２Ｅから突出する固定シャフト７１の軸部７１Ａに設けた環状溝に係止されるＣ字状クリップ７５により固定シャフト７１の軸部７１Ａから抜け止めされる。片方向回転具７０は、固定シャフト７１との組立状態にある回転カバー７２の中空軸部７２Ａを清掃ロール５０の上述の中芯５１の他端側に圧入等するとともに、中空軸部７２Ａの外周に設けてある回り止め凸部７２Ｃを中芯５１に設けた凹所に係入して回転カバー７２を中芯５１に対して回り止めする。片方向回転具７０は、固定シャフト７１と回転カバー７２の組立状態で、固定シャフト７１の軸部７１Ａまわりに、フランジ部７１Ｂの反対側からコイルばね７３、駒７４を装填し、軸部７１Ａに設けてあるスライド凸部７１Ｅに駒７４のスライド溝部７４Ａを軸方向にスライド可能に係合させる。これにより、固定シャフト７１の軸部７１Ａに回り止めされるとともに、コイルばね７３により軸方向に押されてスライドする駒７４の先端面の爪７４Ｂを回転カバー７２の他端内底面の爪７２Ｄに噛合いさせる。
【００３６】
上記のように構成されていることにより、片方向回転具７０は、清掃ロール５０の中芯５１に圧入かつ回り止めされて固定されている回転カバー７２が図７のＮ1方向（順方向）に回転していくと、駒７４がばね７３により回転カバー７２の爪７２Ｄの上り勾配の斜面に沿って押されて段々軸方向の原位置から一方に動き、駒７４が回転カバー７２の爪７２Ｄの上り勾配の最高点を越えたところでカチッと弾発的に軸方向の原位置に戻る。回転カバー７２と駒７４の爪７２Ｄ、７４Ｂが周方向に180度間隔をなす２個設けられているとき、回転カバー７２の180度回転毎に上述の動作を繰り返してＮ1方向に回転する。片方向回転具７０は、実際には固定シャフト７１が上フレーム３１Ｕに固定され、回転カバー７２が回転するが、図８は固定シャフト７１と回転カバー７２の相対回転の模様を表示の関係で回転カバー７２を静止させて示した。他方、片方向回転具７０は、回転カバー７２が図７のＮ2方向（逆方向）に回転しようとすると、回転カバー７２の爪７２Ｄが駒７４の爪７４Ｂに引っ掛かって回転ロックされる。
【００３７】
従って、前後２個の清掃ロール５０（５０Ｆ、５０Ｒ）を有する清掃具１０にあっては、清掃ヘッド３０が前方向（図２のＦ方向）に進むときには、前側の清掃ロール５０Ｆが回転し、後側の清掃ロール５０Ｒが回転ロックする。逆に、清掃ヘッド３０が後方向（図３のＲ方向）に進むときには、前側の清掃ロール５０Ｆが回転ロックし、後側の清掃ロール５０Ｒが回転する。
【００３８】
そして、清掃ヘッド３０は、該清掃ヘッド３０の下面からみたとき、前後両側の清掃ロール５０Ｆ、５０Ｒを内向き方向（ゴミ誘い面部４２、ゴミ収容部４０の側）にのみ回転可能にする。即ち、前側の清掃ロール５０Ｆの被清掃面に対する回転の向きの下流側に前側のゴミ誘い面部４２Ｆとゴミ収容部４０Ｆを配置し、後側の清掃ロール５０Ｒの被清掃面に対する回転の向きの下流側に後側のゴミ誘い面部４２Ｒとゴミ収容部４０Ｒを配置する。清掃ヘッド３０の前方又は後方への移動に伴って回転する清掃ロール５０（５０Ｆ、５０Ｒ）が、被清掃面との間にゴミを押えながら、該ゴミをゴミ誘い面部４２（４２Ｆ、４２Ｒ）からゴミ収容部４０（４０Ｆ、４０Ｒ）に取り込むものになる。
【００３９】
清掃ロール５０は、図９に示す如く、紙筒、硬質プラスチックパイプ、アルミ等の金属パイプからなるロール軸としての中芯５１を有し、中芯５１の外周の全周、全長にスポンジロール５２を被着し、スポンジロール５２の外周に筒状の起毛パイル５３を着脱可能に設け、スポンジロール５２の外周の表面に表層として起毛パイル５３の多数の微細な起毛５４を突出して備える。このとき、清掃ロール５０は、起毛５４の先端（毛先）を該清掃ロール５０の回転方向に向くように傾斜又は湾曲してある。ここで、スポンジロール５２は、ゴム、熱可塑性エラストマー、ウレタンゲル等、他の軟質素材で構成しても良い。
【００４０】
起毛パイル５３は、図１０に示す如く、多数の網目を形成する格子状のメッシュ生地５３Ａの各所に、メッシュ生地５３Ａの一部からなる起毛５４を起こしてなるものである。このような起毛パイル５３は、例えばダブルラッセル編み機で編んだ表裏のメッシュ生地、及びそれらの表裏のメッシュ生地をつなぐ多数の中糸からなるパイルの各中糸を半分に切断し、これによって製造される表側又は裏側のメッシュ生地５３Ａとそれらのメッシュ生地５３Ａに連なる中糸の半部とからなる起毛５４により構成される。
【００４１】
起毛パイル５３は、図９に示す如く、清掃ロール５０を構成するスポンジロール５２の自由状態のロール径より小径の内径をもつ筒状に成形される。このような筒状の起毛パイル５３は、スポンジロール５２のロール径を自由状態よりも縮径しつつ、その縮径したスポンジロール５２の弾発的復元力を受けて該スポンジロール５２の外周にぴったりと密着される。起毛パイル５３（メッシュ生地５３Ａ及び起毛５４）の素材は、例えばポリエステル繊維からなり、毛の太さ30Ｄ、起毛５４の長さ2mmである。起毛５４の長さ0.5〜2mmを比較した結果、短いと清掃操作抵抗が大きいことと、ゴミ捕集量が少ないことから、長さ2mmが好適であることを認めた。起毛５４の毛の素材、太さ、長さは、ここに記した以外のものも効果の多少はあっても同様の原理で清掃に供し得る。清掃対象となるカーペットの種類やゴミの種類に応じて適切なものを選択することもできる。
【００４２】
清掃ロール５０は、図９に示す如く、拭布５５からなる表層に多数の起毛５４を突出して備える。本実施例では、前述の筒状の起毛パイル５３の起毛５４まわりに予め不織布５６を設け、この不織布５６を拭布５５とする。
【００４３】
従って、清掃具１０によれば、以下の如くに清掃動作するものになる。尚、清掃ヘッド３０の上下のフレーム３１Ｕ、３１Ｌの可及的全幅に渡って清掃ロール５０、ゴミ誘い面部４２を存在させることにより、被清掃面を壁際まで清掃できる。
【００４４】
(a)清掃具１０の清掃ヘッド３０が一方向に移動し、一方の清掃ロール５０が回転ロックする方向に清掃ヘッド３０を進めると、回転しない清掃ロール５０の下面側の多数の起毛５４がカーペットの繊維中に刺さった状態でひきずり移動され、カーペットの繊維中に存在する毛髪、綿ホコリ等の繊維ゴミ１を掻き寄せ、引っ掛けてひきずる。次に、清掃ヘッド３０が反対方向に移動し、前記一方の清掃ロール５０が回転する方向に進むと、清掃ロール５０の下面側の多数の起毛５４に引っ掛かって溜まっていた繊維ゴミ１が該清掃ロール５０の表層まわりに引っ張り込まれ、それらの多数の起毛５４に絡められながら巻き取られて捕集される。このように清掃ロール５０の一方のみを回転させ、他方を回転ロックさせることで、繊維ゴミ１の捕集性能は格段に向上する。
【００４５】
尚、清掃ロール５０はカーペットに限らず、フローリングにも適用でき、フローリング上の繊維ゴミ１を清掃ロール５０の起毛５４により、以上と同様に捕集できる。
【００４６】
清掃ロール５０の多数の起毛５４がカーペットの繊維中に刺さった状態で該繊維中の繊維ゴミ１を絡め取り、清掃ロール５０の表層まわりに巻き取り捕集するものである。従って、粘着力を用いるものでなく、カーペットを構成する繊維を剥ぎ取ることがない。
【００４７】
また、清掃ロール５０の起毛５４が繊維ゴミ１を清掃ロール５０の表層まわりに引っ張り込むように密に巻き取り、繊維ゴミ１を何層にも積層させて大量に捕集できる。清掃ロール５０の表面から突出する起毛５４の突出部分がある限り、繊維ゴミ１を捕集でき、ペットのいる六畳間を１週間掃除してもまだ捕集性能を失わない。
【００４８】
また、清掃具１０では、たくさんの繊維ゴミ１が清掃ロール５０の表層に巻き取られて捕集されたら、清掃ロール５０のスポンジロール５２の外周から起毛パイル５３及び不織布５６を外す。これにより、捕集された繊維ゴミ１を起毛パイル５３及び不織布５６とともに簡易に除去できる。
【００４９】
(b)清掃ロール５０が起毛５４の先端を該清掃ロール５０の回転方向に向けてあることにより、回転ロックした清掃ロール５０の起毛５４による上述(a)の繊維ゴミ１の掻き寄せ、引っ掛かり効果を向上できる。
【００５０】
(c)清掃ヘッド３０が清掃ロール５０の被清掃面に対する回転の向きの下流側にゴミ誘い面部４２とゴミ収容部４０を配置することにより、回転する清掃ロール５０がカーペット又はフローリングの被清掃面との間に挟んで押えた粒ゴミ２等をゴミ誘い面部４２からゴミ収容部４０に取り込み、捕集できる。
【００５１】
(d)清掃ロール５０がスポンジロール５２の外周に前記起毛５４を備える表層を形成してなるとき、清掃ロール５０はカーペット又はフローリングの被清掃面上の粒ゴミ２等を食い込ませるようにスポンジロール５２を変形させ、食い込んだ粒ゴミ２等を被清掃面上に押さえ込んだまま被清掃面上を移動し、その粒ゴミ２等をスポンジロール５２の回転の下流側に掻き上げてゴミ誘い面部４２からゴミ収容部４０に捕集できる。
【００５２】
尚、スポンジロール５２に食い込んだ粒ゴミ２等は、ゴミ誘い面部４２に誘い込まれ、更にゴミ誘い面部４２上を挟圧されて滑り上げられた後、スポンジロール５２の弾発力で側面開口部４１からゴミ収容部４０に投入される。
【００５３】
(e)清掃ロール５０が拭布５５（不織布５６）からなる表層に多数の起毛５４を突出して備える。回転ロックした清掃ロール５０の表層の拭布５５及び起毛５４がカーペット又はフローリングの被清掃面上をひきずり移動し、被清掃面上の土ホコリ等の汚れを拭き取る。フローリングの掃除では、土ホコリが残ると掃除効果が薄く感じられるので重要である。
【００５４】
(f)清掃ヘッド３０が前後２個の清掃ロール５０Ｆ、５０Ｒを互いに平行に配置するとともに、互いに下面を内向きに回転可能とし、両清掃ロール５０Ｆ、５０Ｒに挟まれる位置にゴミ収容部４０（４０Ｆ、４０Ｒ）を配置する。清掃ヘッド３０を一方向に進めるとき、一方の清掃ロール５０Ｒを回転ロックしてその起毛５４に繊維ゴミ１を引っ掛けてひきずり、かつ清掃ロール５０Ｒの表層の拭布５５により土ホコリの汚れを拭き取り、他方の清掃ロール５０Ｆを回転させてその起毛５４に既に引っ掛かっていた繊維ゴミ１を当該清掃ロール５０Ｆの表層まわりに巻き取って捕集し、かつ粒ゴミ２等を掻き上げてゴミ収容部４０Ｆに捕集できる。
【００５５】
また、柄２０と清掃ヘッド３０のジョイント２３に対する前後の清掃ロール５０Ｆ、５０Ｒのうち、例えば前進時には、後側の清掃ロール５０Ｒだけが停止し、前側の清掃ロール５０Ｆは自由に回転するようにしたので、清掃ヘッド３０に作用するジョイント２３まわりのモーメントのバランスが良くなる。即ち、図２において後側の清掃ロール５０Ｒは清掃面から後向きの力を受け、ジョイント２３まわりで反時計まわりのモーメントを清掃ヘッド３０に及ぼす。一方、前側の清掃ロール５０Ｆは自由に回転するので、清掃面からは垂直方向の力のみを受け、ジョイント２３まわりで時計まわりのモーメントを清掃ヘッド３０に及ぼす。この２つのモーメントがバランスするので、柄２０からジョイント２３に水平の力がかかったとしても清掃ヘッド３０がつんのめることがない。
【００５６】
次に、この清掃ヘッド３０を他方向に進めることにより、一方の清掃ロール５０Ｒを回転させてその起毛５４に既に引っ掛かっていた繊維ゴミ１を当該清掃ロール５０Ｒの表層まわりに巻き取って捕集し、かつ粒ゴミ２等を掻き上げてゴミ収容部４０Ｒに捕集し、他方の清掃ロール５０Ｆを回転ロックしてその起毛５４に繊維ゴミ１を引っ掛けてひきずり、かつ清掃ロール５０Ｆの表層の拭布５５により土ホコリ等の汚れを拭き取るものになる。
【００５７】
従って、清掃ヘッド３０の両方向の移動のいずれにおいても、繊維ゴミ１の捕集、粒ゴミ２等の捕集、土ホコリ等の汚れの拭き取りが行なわれる。
【００５８】
以下、前述の不織布５６付きの筒状の起毛パイル５３の製造方法について説明する。これは、メッシュ生地５３Ａの起毛パイル５３の起毛５４まわりに不織布５６用の短繊維を絡ませてその起毛５４まわりに不織布５６を形成し、この不織布５６が合成された起毛パイル５３を筒状に成形する。具体的には以下の通りである。
【００５９】
(1)図１１に示す如く、広幅長尺リール１０１から巻き出される長尺起毛パイルのメッシュ生地の上に、不織布用の短繊維の懸濁液（繊維を水に分散させた液）供給装置１０２から供給される懸濁液を抄き上げてフリースを形成し、このフリースを加熱ドラム１０３に通過させて乾燥し、エマルジョン系接着剤スプレー装置１０４からスプレーされる接着剤をフリースに付着させ、これを温風ヒータ１０５により加熱、乾燥させて繊維の交点を接着し、長尺起毛パイルの起毛まわりに不織布用の短繊維を絡ませた広幅長尺の不織布付き起毛パイルの巻きリール１０６を得る。
【００６０】
(2)図１２に示す如く、広幅長尺の不織布付き起毛パイルの巻きリール１０６から巻き出される起毛パイルを丸刃カッター１０７によって複数条にスリットし、狭幅長尺の不織布付き起毛パイル（原反シート）の巻きリール１０８を得る。
【００６１】
(3)図１３に示す如く、狭幅長尺の不織布付き起毛パイル（原反シート）の巻きリール１０８から巻き出される起毛パイルをマンドレル１０９まわりに巻き付け、マンドレル１０９の外周上で相対する起毛パイルの両側縁部をヒーターディスク１１０によりヒートシールしてこの起毛パイルを筒状に成形する。筒状に成形された狭幅長尺の不織布付き筒状起毛パイルを連続牽引ローラー１１１、タクト送りローラー１１２で送りつつ、カッター１１３で一定長に切断し、不織布付き筒状起毛パイル５３を得る。
【産業上の利用可能性】
【００６２】
本発明によれば、簡易な清掃具により、繊維ゴミを効率的に捕集するとともに、土ホコリ等を拭き取ることができる。
尚、清掃ヘッドは唯１個の清掃ロールを有するものでも良い。また、清掃ロールは多数の起毛を突出して備えるものであればスポンジロールや拭布を備えることを必須としない。
【符号の説明】
【００６３】
１０  清掃具
３０  清掃ヘッド
４０、４０Ｆ、４０Ｒ  ゴミ収容部
４２、４２Ｆ、４２Ｒ  ゴミ誘い面部
５０、５０Ｆ、５０Ｒ  清掃ロール
５１  中芯（ロール軸）
５２  スポンジロール
５３  起毛パイル
５３Ａ  メッシュ生地
５４  起毛
５５  拭布
５６  不織布
２００  清掃ロール
２０１  起毛ロール
２０２  不織布シート
【図１】
0006037666.tif 000002
【図２】
0006037666.tif 000003
【図３】
0006037666.tif 000004
【図４】
0006037666.tif 000005
【図５】
0006037666.tif 000006
【図６】
0006037666.tif 000007
【図７】
0006037666.tif 000008
【図８】
0006037666.tif 000009
【図９】
0006037666.tif 000010
【図１０】
0006037666.tif 000011
【図１１】
0006037666.tif 000012
【図１２】
0006037666.tif 000013
【図１３】
0006037666.tif 000014